(57)【要約】【課題】生き埋めや監禁された場合のように外部から隔離される事態が発生したときに、周囲に気兼ねすることなく自分の存在を通知することのできる携帯端末装置および緊急援助通知方法を得る。【解決手段】携帯電話機１０１は犬笛スイッチ１１１を備えており、これが押されると超音波発生装置１３７が犬笛に相当する超音波を発生する。これにより、無線通信が不可能な状況でも犬あるいは超音波を感知する装置による居場所の特定で、携帯端末装置の所持者の救助が可能になる。手回し発電部を携帯電話機に配備することで、犬笛を出力するため等の電源を常に確保することも可能である。【選択図】図３
2007013413.tif 000002
【特許請求の範囲】
【請求項１】
所定の周波数の超音波を発生する超音波発生手段と、
この超音波発生手段を駆動するスイッチと、
無線通信を行う無線通信手段
とを具備することを特徴とする携帯端末装置。
【請求項２】
犬笛に相当する周波数の超音波を発生する犬笛発生手段と、
この犬笛発生手段を駆動するスイッチと、
無線通信を行う無線通信手段
とを具備することを特徴とする携帯端末装置。
【請求項３】
手回しによって発電する発電手段と、
この発電手段によって発生した電力で充電する充電手段と、
この充電手段によって充電された電力を用いて無線通信を行う無線通信手段
とを具備することを特徴とする携帯端末装置。
【請求項４】
手回しによって発電する発電手段と、
この発電手段によって発生した電力で充電する充電手段と、
この充電手段によって充電された電力を用いて犬笛に相当する周波数の超音波を発生する犬笛発生手段と、
この犬笛発生手段を駆動するスイッチと、
無線通信を行う無線通信手段
とを具備することを特徴とする携帯端末装置。
【請求項５】
緊急援助の要求を発生させる緊急援助要求手段と、
この緊急援助要求手段が緊急援助の要求を発生させたとき予め定めた連絡先に対して無線による緊急援助の要請が可能であるかを判別する無線通信可否判別手段と、
この無線通信可否判別手段が無線通信が可能であると判別したとき予め定めた内容で緊急援助の要請の通信を行う緊急援助要請通信手段と、
この緊急援助要請通信手段による緊急援助要請の通信が行われた後および前記無線通信可否判別手段が無線通信が不可能であると判別したとき、犬笛に相当する周波数の超音波を発生する犬笛発生手段
とを具備することを特徴とする携帯端末装置。
【請求項６】
前記発電手段および充電手段は、充電可能な電池を交換自在に収容する電池収容スペースに、この充電可能な電池の代わりに取り付けられるものであることを特徴とする請求項３または請求項４記載の携帯端末装置。
【請求項７】
緊急援助の要求の発生を監視する緊急援助要求監視ステップと、
この緊急援助要求監視ステップで緊急援助の要求を判別したとき予め定めた連絡先に対して無線による緊急援助の要請が可能であるかを判別する無線通信可否判別ステップと、
この無線通信可否判別ステップで緊急援助要請の無線通信が可能であると判別したとき予め定めた内容で緊急援助の要請の通信を行う緊急援助要請通信ステップと、
この緊急援助要請通信ステップで通信が行われた後および前記無線通信可否判別ステップで無線通信が不可能であると判別したとき、犬笛に相当する周波数の超音波を発生する犬笛発生ステップ
とを具備することを特徴とする緊急援助通知方法。
【発明の詳細な説明】
【技術分野】
【０００１】
本発明は、携帯電話機、ＰＨＳ、ＰＤＡ、通信機能を備えた携帯型のパーソナルコンピュータ等の携帯端末装置に係り、特に通信機能に付加される機能の拡充を図った携帯端末装置および緊急援助通知方法に関する。
【背景技術】
【０００２】
携帯電話機やＰＨＳ（Personal Handy-phone System）、ＰＤＡ（Personal Digital Assistant）等の携帯端末装置は、固定電話機のように複数の人が共同で使用する通信端末とは異なり、個人の所有物あるいは個人の管理する物として使用されている。このため、本来の通信機能に加えて、スケジュール管理機能等の各種の機能が盛り込まれて、個人が常に携行する最も代表的な物となっている。特に最近では財布や定期券を持ち歩かなくても自動販売機による商品の購入や交通機関の利用が可能になるようになってきており、ますます携帯端末装置が手放せないものとなってきている。
【０００３】
ところで、近年、地震や津波あるいは大雪といった天災が頻発しており、防災や緊急時への関心が高まっている。携帯端末装置はその通信機能で災害発生時に大きな力を発揮する。すなわち、通信機能を用いることで周囲に救助を求めたり自分の居場所を他人に教えることができる。特に、ＧＰＳ（Global Positioning System）機能を備えた携帯端末装置の場合には、メールに発信者の居場所を組み込むことで、監禁されたり災害で居場所の分からなくなった者を早急に探し出して助けることができるようになる。
【０００４】
しかしながら、携帯端末装置は無線基地局を介して所望の相手先との通信を行うことを前提とした無線端末である。このため、たとえば地震や広域の火災のような広域災害が発生すると、無線基地局自体も破壊されたり消失して、その機能を発揮できない存在になってしまうことも多い。このような場合、通信端末入力装置の本来の機能としての無線通信機能を活用することができなくなる。そこで、緊急時に無線を利用することができない場合でも自分の居場所を知らせることのできる携帯端末装置が第１の提案として提案されている（たとえば特許文献１参照。）。
【０００５】
この第１の提案による携帯端末装置は、アンテナロッド頂部に、息を吹き込むことにより警笛音を発する警笛手段を設けている。したがって、たとえば地震によって建物が崩壊して生き埋めになったような場合、警笛手段を用いて自分の居場所を他人に知らせることができる。しかしながら、この第１の提案によれば、使用者は警笛音を発するたびに警笛手段に息を強力に吹き込む必要がある。息を吹き込む作業は、比較的多くのエネルギを消耗する。また、体内から息と共に水分が多く排出される。したがって、体力の急激な消耗をきたすという問題がある。
【０００６】
そこで、警報ブザーを携帯電話機に組み込むことが第２の提案として提案されている（たとえば特許文献２参照）。この第２の提案の警報発生部は、所定のスイッチがオン状態となったときに駆動するように設定されている。また、警報発生部は、スピーカを備えており、ここから８０ｄＢ（デシベル）あるいは１００ｄＢ以上の警報音を発生させるようにしている。したがって、第２の提案によれば、「助けてください」等のアナウンスをスピーカから大音量で流すことによって、子供や女性などの弱者に対する凶悪な犯罪の発生を防止することができるし、地震等の災害時には自分の存在を警報によって知らせることもできる。
【特許文献１】特開２００３−２９８７１０号公報（第０００９段落、図１）
【特許文献２】特開２００３−０６０７５２号公報（第００２１、第００４２、第００４４段落、図２）
【発明の開示】
【発明が解決しようとする課題】
【０００７】
ところで、第２の提案では、痴漢等の犯罪を防止するために少なくとも８０ｄＢ以上の音を発生させることにしている。したがって、この提案の携帯電話機を生き埋めの現場で使用することは場合によって非常に効果がある。ところが、大音響で警報が発生されるため、閉じられた空間でその音を長時間連続して聞くことは携帯電話機の使用者にとってかなり辛いことになる。また、複数の物が生き埋め状態となり、病人や幼児が含まれているような場合には、それらの者に警報音が大音響で発生するたびにショックを与えてしまう。このようなことから、警報音はたまにしか出力できないことになる。しかも警報音が出力されたときに、その周囲に救助活動を行っている人間がいなければ居場所を探り当てさせることができないという問題がある。
【０００８】
そこで本発明の目的は、たとえば生き埋めになったり、監禁された場合のように外部から隔離される事態が発生したときに、自分の存在を周囲に気兼ねすることなく通知することのできる携帯端末装置および緊急援助通知方法を提供することにある。
【課題を解決するための手段】
【０００９】
本発明では、（イ）所定の周波数の超音波を発生する超音波発生手段と、（ロ）この超音波発生手段を駆動するスイッチと、（ハ）無線通信を行う無線通信手段とを携帯端末装置に具備させる。
【００１０】
すなわち本発明では、本来の無線通信を行う無線通信手段の他に超音波発生手段を携帯端末装置に具備させることで、無線通信が行えないような場合であっても超音波を発生させることができるようにしている。超音波は人間が聞くことができないので、超音波を感知する動物や測定器に対して周囲に気兼ねすることなく自分の存在を通知可能である。
【００１１】
また、本発明では、（イ）犬笛に相当する周波数の超音波を発生する犬笛発生手段と、（ロ）この犬笛発生手段を駆動するスイッチと、（ハ）無線通信を行う無線通信手段とを携帯端末装置に具備させる。
【００１２】
すなわち本発明では、本来の無線通信を行う無線通信手段の他に犬笛に相当する周波数の超音波を発生する犬笛発生手段を携帯端末装置に具備させることで、無線通信が行えないような場合であっても犬笛の音を発生させることができるようにしている。犬笛の音の周波数は超音波の帯域なので人間が聞くことができない。しかしながら犬笛は、捜索を行う犬等の動物や測定器で感知可能なため、周囲に気兼ねすることなく自分の存在を通知可能である。
【００１３】
また、本発明では、（イ）手回しによって発電する発電手段と、（ロ）この発電手段によって発生した電力で充電する充電手段と、（ハ）この充電手段によって充電された電力を用いて無線通信を行う無線通信手段とを携帯端末装置に具備させる。
【００１４】
すなわち本発明では、携帯端末装置自体に手回しによって発電する発電手段が備えられているので、この発電手段によって発生した電力を充電手段によって充電して無線通信手段で通信を行うようになっている。このため、通常では電池が放電して通信を行えない環境下でも、無線通信を行って自分の存在を外部に通知することができる。
【００１５】
また、本発明では、（イ）手回しによって発電する発電手段と、（ロ）この発電手段によって発生した電力で充電する充電手段と、（ハ）この充電手段によって充電された電力を用いて犬笛に相当する周波数の超音波を発生する犬笛発生手段と、（ニ）この犬笛発生手段を駆動するスイッチと、（ホ）無線通信を行う無線通信手段とを携帯端末装置に具備させる。
【００１６】
すなわち本発明では、携帯端末装置自体に手回しによって発電する発電手段が備えられているので、この発電手段によって発生した電力を充電手段によって充電して、通知が必要なときにスイッチによって犬笛発生手段を駆動したり無線通信手段で無線通信を行うことができる。
【００１７】
また、本発明では、（イ）緊急援助の要求を発生させる緊急援助要求手段と、（ロ）この緊急援助要求手段が緊急援助の要求を発生させたとき予め定めた連絡先に対して無線による緊急援助の要請が可能であるかを判別する無線通信可否判別手段と、（ハ）この無線通信可否判別手段が無線通信が可能であると判別したとき予め定めた内容で緊急援助の要請の通信を行う緊急援助要請通信手段と、（ニ）この緊急援助要請通信手段による緊急援助要請の通信が行われた後および無線通信可否判別手段が無線通信が不可能であると判別したとき、犬笛に相当する周波数の超音波を発生する犬笛発生手段とを携帯端末装置に具備させる。
【００１８】
すなわち本発明では、ユーザの操作できるスイッチ等からなる緊急援助要求手段が緊急援助の要求を発生させたとき、無線通信可否判別手段が予め定めた連絡先に対して無線による緊急援助の要請が可能であるかを判別することにしている。そして、緊急援助要請通信手段は、無線通信可否判別手段が無線通信が可能であると判別したとき予め定めた内容で緊急援助の要請の通信を行う。犬笛発生手段は、この緊急援助要請通信手段による緊急援助要請の通信が行われた後および無線通信可否判別手段が無線通信が不可能であると判別したとき、犬笛に相当する周波数の超音波を発生する。したがって、無線通信が可能なときには無線通信と犬笛の双方によって、また、無線通信が不可能なときには犬笛によって緊急援助の要請を行うことができる。特に犬笛は、犬がこれに反応するので、無線による援助の要求先が地理的に遠い場所にいるような場合には、犬笛の発生が緊急援助の要請に大きな力となることがあり得る。
【００１９】
また、本発明では、（イ）緊急援助の要求の発生を監視する緊急援助要求監視ステップと、（ロ）この緊急援助要求監視ステップで緊急援助の要求を判別したとき予め定めた連絡先に対して無線による緊急援助の要請が可能であるかを判別する無線通信可否判別ステップと、（ハ）この無線通信可否判別ステップで緊急援助要請の無線通信が可能であると判別したとき予め定めた内容で緊急援助の要請の通信を行う緊急援助要請通信ステップと、（ニ）この緊急援助要請通信ステップで通信が行われた後および無線通信可否判別ステップで無線通信が不可能であると判別したとき、犬笛に相当する周波数の超音波を発生する犬笛発生ステップとを緊急援助通知方法に具備させる。
【００２０】
すなわち本発明では、緊急援助の要求の発生を緊急援助要求監視ステップで監視し、この緊急援助要求監視ステップで緊急援助の要求を判別したとき予め定めた連絡先に対して無線による緊急援助の要請が可能であるかを無線通信可否判別ステップで判別することにしている。そして、緊急援助要請の無線通信が可能であると判別したときには、緊急援助要請通信ステップで予め定めた内容で緊急援助の要請の通信を行うことにし、更に、緊急援助要請通信ステップで通信が行われた後および無線通信可否判別ステップで無線通信が不可能であると判別したとき、犬笛発生ステップで犬笛に相当する周波数の超音波を発生することにしている。したがって、無線通信が可能なときには無線通信と犬笛の双方によって、また、無線通信が不可能なときには犬笛によって緊急援助の要請を行うことができる。特に犬笛は、犬がこれに反応するので、無線による援助の要求先が地理的に遠い場所にいるような場合には、犬笛の発生が緊急援助の要請に大きな力となることがあり得る。
【発明の効果】
【００２１】
以上説明したように本発明によれば、携帯端末装置がスイッチの操作によって犬笛等の超音波を出力するので、周囲に気兼ねすることなく、自分の存在を動物や測定器を介して他人に通知することができる。したがって、携帯端末装置の本来の通信機能を補完することができる。特に災害時等の通信機能が機能しなくなったような場合には、犬笛等の超音波の出力が発信者の存在を確認する大きな力となる。
【００２２】
また、本発明では手回しによって発電する発電手段を備えることにしたので、電池切れによる無線通信の不能あるいは犬笛等の超音波の出力不能の事態を簡単に解消することができる。
【発明を実施するための最良の形態】
【００２３】
以下実施例につき本発明を詳細に説明する。
【実施例１】
【００２４】
図１は、本発明の第１の実施例における携帯端末装置としての携帯電話機を表側から見たものである。この携帯電話機１０１の装置本体１０２は、ユーザが片手で握ることのできる大きさの細長いほぼ直方体の形状をしている。この装置本体１０２の、この図で示す表側（正面側）には、アンテナ１０３の存在する上端部側（図の右側）にスピーカ１０４が配置されており、下端部側（図の左側）にマイクロフォン１０５が配置されている。これらは、図示しない固定電話機のハンドセットの受話器および送話器に対応している。スピーカ１０４とマイクロフォン１０５の間には、液晶ディスプレイあるいは有機ＥＬ（Electro Luminescence）ディスプレイ等からなる表示部１０６と、数字キー等の各種キー（図示せず）からなる操作部１０７が配置されている。これらスピーカ１０４、マイクロフォン１０５、表示部１０６および操作部１０７は、装置本体１０２と共に生活防水機能を備えている。これは、災害時等の過酷な環境で、携帯電話機１０１がユーザのポケット等に収容されている場合でも、その正常な動作を可能な限り確保できるようにするためである。
【００２５】
図２は、この携帯電話機を裏側から見たものである。携帯電話機１０１の装置本体１０２の裏側（背面側）には、アンテナ１０３の近傍に、犬笛として機能する超音波を発生させる犬笛スイッチ１１１が取り付けられている。また、犬笛スイッチ１１１の近傍には、犬笛の超音波を装置本体１０２の内部から外部に出力するための犬笛出力部１１２が配置されている。操作部１０７の図示しないキーの押下の組み合わせによって、犬笛スイッチ１１１を押下したと同様の制御を行ってもよい。犬笛スイッチ１１１と、操作部１０７の図示しないキーを組み合わせて押下したとき、犬笛スイッチ１１１の押下を有効としてもよい。これは、犬笛スイッチ１１１が誤って押されることによって、第三者に迷惑が掛かることを防止するためである。
【００２６】
図３は、第１の実施例の携帯電話機の回路構成を示したものである。携帯電話機１０１は、各種制御のためにＣＰＵ（中央処理装置）１３１を備えている。ＣＰＵ１３１は、データバス等のバス１３２を介して各部と接続されている。このうち制御プログラム格納部１３３は、この携帯電話機１０１の各部を制御するための制御プログラムが格納されたＲＯＭ（リード・オンリ・メモリ）によって構成されている。もちろん、他の記憶媒体によって構成されていてもよい。作業用メモリ１３４は、ＣＰＵ１３１が制御プログラムを実行する際に一時的に必要とされる各種データを格納するＲＡＭ（ランダム・アクセス・メモリ）によって構成されている。通信制御部１３５は、図示しない無線基地局と無線による通信を行って通話等の通信制御や着呼の検出を行うための回路部分である。図１にも示したスピーカ１０４およびマイクロフォン１０５は、それぞれ図示しない増幅回路等の出力回路あるいは入力回路を介してバス１３２に接続されている。表示部１０６および操作部１０７も図示しない表示制御回路または操作用のキーの入力回路を介してバス１３２に接続されている。
【００２７】
超音波発生装置１３７は、図２に示した犬笛スイッチ１１１が押されたときに、所定の条件の下に、犬笛に相当する超音波を発生する装置である。超音波発生装置１３７の発生する犬笛は、たとえば１２０００Ｈｚから３００００Ｈｚの周波数である。このような周波数の犬笛は、連続して出力される必要はなく、携帯電話機１０１の図示しないバッテリの消費量を抑えるために、１秒出力されて３秒間オフになるといったように一定間隔で予め定められた時間オン・オフを繰り返すようになっていてもよい。
【００２８】
緊急通信内容記憶部１３８は、緊急時に通信する内容を記憶しておくメモリであり、不揮発性メモリによって構成されている。ここには２種類の内容が記憶されている。１つは緊急時の音声メッセージおよびその送信先である。音声メッセージは、「助けてください」といった予めこの携帯電話機１０１の製造メーカ側が用意したものであってもよいし、ユーザ本人がマイクロフォン１０５を用いて編集した内容のものであってもよい。送信先は家族や親しい友人の電話番号であってもよいが、地震や交通事故は家族や親しい友人が同時に被災する場合がある。したがって、本実施例では音声メッセージの送信先を２種類設定することにしている。すなわち、一番目の登録先として家族や親しい友人を登録する他に、警察や地域の災害救助センタあるいは消防署を２番目の登録先として登録し、一番目の登録先が音声による応答が不可能なときに限って２番目の登録先に音声メッセージを送信するようにしている。このように２段階の送信先を設定することによって、誤って犬笛スイッチ１１１が押下されたときであっても、公的な機関がこれに惑わされるといった弊害を防止することができる。電話番号と共に電子メールのアドレスが格納されていれば、電子メールの送信にも対応させることができる。
【００２９】
なお、音声メッセージの送信先として指定された家族が同時に被災しているような場合で、その家族が応答した場合、発信者は家族の無事を確認することができる。その場合は更に送信先を変更して電話を掛けることによって警察等の公的な機関に救助を求めることができる。その家族が応答しなかった場合には、自動的に２段階の送信先に音声メッセージの送信が行われるので、その時点で警察等の公的な機関に救助を求めることができる。
【００３０】
図４は、ユーザに他人の救助を求める必要が生じたときの携帯電話機の制御の概要を表わしたものである。図３と共に説明する。携帯電話機１０１のユーザが、たとえば監禁されたり生き埋めになった場合、救助を求める際に犬笛スイッチ１１１を押す。ＣＰＵ１３１は犬笛スイッチ１１１が押されると（ステップＳ２０１：Ｙ）、通信制御部１３５をチェックして、図示しない無線基地局と通信が不可能であるか、すなわち圏外であるかどうかを判別する（ステップＳ２０２）。圏外でなければ（Ｎ）、ＣＰＵ１３１は緊急通信内容記憶部１３８から音声メッセージとその送信先を読み出して（ステップＳ２０３）、発信制御を行う（ステップＳ２０４）。
【００３１】
図５はこの発信制御の具体的な内容を表わしたものである。図３と共に説明する。ＣＰＵ１３１は、通信制御部１３５を制御して、まず１番目の登録先に発信する（ステップＳ２２１）。この発信処理後に、登録先の相手と所定時間ｔ1以内に着信がおこなわれるかどうかを判別し（ステップＳ２２２、Ｓ２２３）、着信が行われれば（ステップＳ２２２：Ｙ）、音声メッセージが通話先に出力される（ステップＳ２２４）。したがって、携帯電話機１０１のユーザが監禁の場合等で声で事情を説明することができない状況にあったり、地震等の生き埋めの際に障害物の存在等によって携帯電話機１０１を口の近くまで移動させることができない状況にある場合でも、予め設定した音声メッセージを１番目の登録先に伝えることができる。この後、表示部１０６に音声メッセージによる連絡が成功したことを表示して（ステップＳ２２５）、処理を終了させる（エンド）。
【００３２】
一方、登録先が所定時間ｔ1以内に呼び出しに発呼に応答しなかったような場合（ステップＳ２２３：Ｙ）、ＣＰＵ１３１は、通信制御部１３５を制御して、２番目の登録先に発信する（ステップＳ２２６）。そして、着信が行われれば（ステップＳ２２７：Ｙ）、音声メッセージが通話先に送出される（ステップＳ２２４）。続いて、表示部１０６に音声メッセージによる連絡が成功したことを表示して（ステップＳ２２５）、処理を終了させる（エンド）。
【００３３】
これに対して、登録先が所定時間ｔ2以内に発呼に応答しなかったような場合（ステップＳ２２８：Ｙ）、ＣＰＵ１３１は音声メッセージの出力を断念して、表示部１０６に音声メッセージによる連絡が不能であったことを表示して（ステップＳ２２９）、処理を終了させる（エンド）。なお、時間ｔ2は、時間ｔ1と同じであってもよいし、異なった時間長であってもよい。
【００３４】
図４に戻って説明を続ける。ステップＳ２０４で図５に示したような発信制御が行われたら、所定時間にわたって前記したオン・オフの繰り返しで超音波発生装置１３７による犬笛の出力が行われる（ステップＳ２０５）。この犬笛は、図２に示した犬笛出力部１１２から外部に出力される。ただし、犬笛の音は人間が直接聞くことができない。そこで、犬笛が送出されている時間ｔ3の間は、「犬笛出力中」という文字表示が表示部１０６に表示される（ステップＳ２０５、Ｓ２０６、Ｓ２０７：Ｎ）。犬笛の送出が開始されてから時間ｔ3を越えると（ステップＳ２０７：Ｙ）、すべての処理が終了する（エンド）。
【００３５】
すなわち、ユーザが犬笛スイッチ１１１を押したとき圏内であった場合には、予め登録しておいた送信先に予め録音しておいた音声によるメッセージを送信し、このメッセージの送出の成否にかかわらず犬笛が時間ｔ3だけ出力されることになる。したがって、救助を求めるユーザの居場所は、そのユーザの所持する携帯電話機１０１と無線基地局との通信の結果としてその無線基地局が通信できるエリアに限定されると共に、犬笛によって警察犬等の犬の感知あるいは超音波受信機の活用により場所の最終的な確認が可能になる。
【００３６】
もちろん、実施例の携帯電話機１０１がＧＰＳ（Global Positioning System）あるいはＤＧＰＳ(Differential GPS)等の汎地球測位システムを利用していれば、これによる測位の結果を用いて、ユーザの詳細な位置を通信の相手先に知らせることができる。特に携帯電話機１０１がＤＧＰＳを用いている場合には、わずか数メートルの誤差の範囲内でユーザの位置の特定が可能である。
【００３７】
一方、ステップＳ２０２で携帯電話機１０１と無線基地局の通信が不可能（圏外）とされた場合には（Ｙ）、直接、ステップＳ２０５に処理が進む。そして、犬笛が時間ｔ3だけ出力される（ステップＳ２０５）と共に、その時間中は「犬笛出力中」という文字表示が表示部１０６に表示されることになる（ステップＳ２０６、Ｓ２０７）。ユーザは、表示部１０６の表示を見て「犬笛出力中」の表示が消えるたびに、あるいはそれからある程度時間を置いて、犬笛スイッチ１１１を押すことで、実際の犬笛を吹くことなく、犬笛の超音波の発信を繰り返すことができる。しかも、ステップＳ２０２で圏外と判別された場合には無線基地局への発信処理を行わないので、無線通信に要する電力消費を不要として、犬笛の出力に電力を有効活用することができる。
【００３８】
＜第１の実施例の変形例＞
【００３９】
図６は、本発明の第１の実施例の変形例でユーザが他人の救助を求める必要が生じたときの携帯電話機の制御の概要を表わしたものである。図３と共に説明する。また、図４と同一部分には同一のステップ番号を付している。この変形例では、図４のステップＳ２０３に対応するステップＳ２０３Ａで、ＣＰＵ１３１は緊急通信内容記憶部１３８から電子メールのメッセージとその送信先を読み出すようにしている。そして、ステップＳ２０４に対応するステップＳ２０４Ａでは、電子メールの送信制御を実行するようにしている。
【００４０】
このステップＳ２０４Ａにおける電子メールの送信制御では、家族や親しい友人だけでなく、警察や地域の災害救助センタあるいは消防署にも電子メールを同時に送信してもよい。ただし、この場合にはユーザの操作ミスによって救助の要請が警察等の公的機関にいきなり送られる場合が多発する恐れがある。したがって、家族や親しい友人向けの電子メールの本文には警察等の公的機関に電子メールが送られたことと、これら公的機関の連絡先の電話番号を記すと共に、これら公的機関向けの電子メールの本文には同時に電子メールを送信した家族等の連絡先の電話番号を記すことが好ましい。これにより、何らかの間違いで電子メールが送信されたような場合に公的機関がこれに惑わされることを防止することができる。もちろん、地震や監禁等で不明になった者の場合には、公的機関は家族等に確認することなく、直ちに行動を起こすことができることは当然である。
【実施例２】
【００４１】
図７は、本発明の第２の実施例における携帯端末装置としての携帯電話機の折り畳まれた状態を背面側から見たものである。この携帯電話機３０１は、折り畳まれた状態の第１の筐体３０２の背面３０３側で、通常の場合には電池が収容される部分に、発電機・充電器部３０４がオプション部品として組み込まれている。すなわち、通常では図示しない内蔵電池と背面パネルによって組み合わされた装置部分が、背面パネル３０５と手回し発電部３０６の一部で表面部分を構成し、内部に手回し発電部３０６の残りの部分と、やや小型の内蔵電池３０７を内蔵した構成の装置部分となっている。手回し発電部３０６の表面部分は、円盤状の突出部３０６Ａと、この突出部３０６Ａを対称に２分するような溝３０６Ｂに基部３０８Ａ側を配置した手回しアーム部３０８によって構成されている。
【００４２】
手回しアーム３０８の基部３０８Ａ側と反対の端部には回動軸３０９が取り付けられている。発電機・充電器部３０４が未使用の状態では、第１の筐体３０２と第２の筐体３１１を開閉するヒンジ部３１２と反対側の端部に位置する切り欠き３１３に、この回動軸３０９を収容する構造となっている。これにより、携帯電話機３０１を背広等のポケットに収容したり、これから取り出すような場合に、手回しアーム３０８や回動軸３０９がポケットに引っかからずスムーズな処理が可能になる。また、発電機・充電器部３０４はオプション部品のため、予備の電池パックを持ち歩いている者は、従来どおりに発電機・充電器部３０４を使用せず、発電機・充電器部３０４に割り当てられた部位に電池パックのみを内蔵させることも可能である。
【００４３】
図８は、この第２の実施例の携帯電話機で発電による充電を行っている状態を表わしたものである。ユーザが図示しない指の先を切り欠き３１３に当てて、手回しアーム３０８の回動軸３０９のある側を図７で上側に引き上げると、基部３０８Ａが回転して手回しアーム部３０８が図７に示す状態から反転して、図８に示す状態となる。この状態でユーザが回動軸３０９を指で掴んで矢印３２１方向（時計方向）に回転させる。これにより、手回し発電部３０６が回転することになる。
【００４４】
手回し発電部３０６は、フラットモータによって構成されており、回転によって得られた起電力を整流して内蔵電池３０７に充電する。内蔵電池３０７は比較的小型であるが、通話の合間、あるいは通話中にも手回しアーム部３０８を回転させることができる。これにより、電池切れの発生を予防したり、電池切れが発生したときも当座の電力を簡単に確保することができる。したがって、周囲に空間が確保された状態で生き埋めになったり、部屋に監禁された場合のように身体が動く状態で外部から隔離される事態が発生した場合では、携帯電話機３０１を常に利用可能な状態に保持することができる。
【００４５】
この第２の実施例の携帯電話機３０１は、このように電力の枯渇のおそれがないので、更にこの電力を利用する一手段として、アンテナ３２２の先端に高輝度発光ダイオード３２３を組み込んでおり、これを必要に応じて点等させることができるようになっている。これにより、暗い場所では携帯電話機３０１を懐中電灯として役立たせることができる。スライドスイッチ３２４は、この高輝度発光ダイオード３２３を点灯させるスイッチである。本実施例では、このスライドスイッチ３２４を一度、右方向にスライドさせることによって約６０秒の連続点灯が可能である。点灯を延長させるには、右方向へのスライドを繰り返せばよい。このスライドスイッチ３２４を左方向にスライドさせることで高輝度発光ダイオード３２３が直ちに消灯する。
【００４６】
図９は、この第２の実施例の携帯電話機の回路構成の概要を表わしたものである。ただし、図３と同一部分には同一の符号を付しており、これらの説明は適宜省略する。第２の実施例の携帯電話機３０１は、第１の実施例と同様にバス１３２に犬笛スイッチ１１１、超音波発生装置１３７および緊急通信内容記憶部１３８を接続している他、新たにスライドスイッチ３２４と、高輝度発光ダイオード点灯制御回路３３１および電源電圧表示制御回路３３２を接続している。ここで高輝度発光ダイオード点灯制御回路３３１には、高輝度発光ダイオード３２３が接続されている。また、電源電圧表示制御回路３３２には発電機・充電器部３０４が接続されており、これによって充電される内蔵電池３０７の出力電圧を表示部１０６に表示する制御が行われるようになっている。
【００４７】
図９に示した制御プログラム格納部１３３Ａは、第１の実施例の携帯電話機１０１よりも機能が豊富化した第２の実施例の携帯電話機３０１の各部の制御を行う制御プログラムが格納されている。ただし、犬笛スイッチ１１１の操作による携帯電話機の制御は図４〜図６で説明した通りなので、これらの説明は省略する。
【００４８】
図１０は、電源電圧表示制御回路の表示制御の概要を表わしたものである。電源電圧表示制御回路３３２は、図７〜図９に示した発電機・充電器部３０４を介して内蔵電池３０７の出力電圧をチェックする（ステップＳ４０１）。そして、検出した出力電圧を予め定めた複数の電圧範囲と照合して、これにより現在の出力電圧の状態を表示部１０６に表示している電池マークに反映させる（ステップＳ４０２）。たとえば、電池の形状をしたマーク内に記す棒線の数を出力電圧に応じて変化させることで内蔵電池３０７の残量表示を実現する。
【００４９】
次に電源電圧表示制御回路３３２は、検出した内蔵電池３０７の出力電圧が最低の段階における上限側の値（最も高い電圧）に相当する電圧ＶL未満であるかどうかを判別し（ステップＳ４０３）、そうであれば表示部１０６に発電・充電警告表示を赤色等の目立つ色で表示する（ステップＳ４０４）。たとえば、表示部１０６に「発電または充電して下さい」という表示が行われる。ユーザは、図示しない充電器が傍にあるときはこれを使用して充電を行うことができる。充電器が傍にないとき、あるいはそのセットが面倒なときには図８に示したように手回しアーム３０８を回すことで簡単に充電を行うことができる。
【００５０】
したがって、周囲に空間が確保された状態で生き埋めになったり、部屋に監禁された場合のように身体が動く状態で外部から隔離される事態が発生した場合では、内蔵電池３０７の消耗を気にすることなく、外部に対して救助の要求を犬笛等によって繰り返し発することができる。また、アンテナ３２２の先端の高輝度発光ダイオード３２３を、夜道等の暗い場所で懐中電灯として気軽に使用することができる。
【００５１】
もちろん、第２の実施例の携帯電話機３０１は、テレビジョンやラジオとしての機能を備えていなかったが、これらの機能を携帯端末装置が備えている場合には、電池の枯渇を心配することなく、これらの機能も積極的に活用して外部の情報収集に努めることができる。したがって、本発明は他人の救援を求める非常時はもちろんのこと、通常時でも特にテレビジョンやＧＰＳとしての機能を電池の消耗を気にすることなく最大限に活用することができるという利点を有することになる。
【００５２】
なお、実施例では携帯電話機を中心にして本発明を説明したが、ＰＨＳ、ＰＤＡ等の他の携帯端末装置についても本発明を同様に適用することができることは当然である。また、実施例では手回し発電部３０６を携帯電話機のオプション部品として示したが、携帯端末装置に一体的に組み込まれていてもよいことは当然である。
【図面の簡単な説明】
【００５３】
【図１】本発明の第１の実施例における携帯端末装置としての携帯電話機の表側を示した斜視図である。
【図２】第１の実施例の携帯電話機の裏側を示した斜視図である。
【図３】第１の実施例の携帯電話機の回路構成を示したブロック図である。
【図４】第１の実施例でユーザが他人の救助を求める必要が生じたときの携帯電話機の制御の概要を表わした流れ図である。
【図５】ステップＳ２０４の発信制御を具体的に示した流れ図である。
【図６】本発明の第１の実施例の変形例でユーザが他人の救助を求める必要が生じたときの携帯電話機の制御の概要を表わした流れ図である。
【図７】本発明の第２の実施例における携帯端末装置としての携帯電話機の折り畳まれた状態を背面側から見た斜視図である。
【図８】第２の実施例の携帯電話機で発電による充電を行っている状態を表わした斜視図である。
【図９】第２の実施例の携帯電話機の回路構成の概要を表わしたブロック図である。
【図１０】電源電圧表示制御回路の表示制御の概要を表わした流れ図である。
【符号の説明】
【００５４】
１０１、３０１  携帯電話機
１１１  犬笛スイッチ
１１２  犬笛出力部
１３１  ＣＰＵ
１３３、１３３Ａ  制御プログラム格納部
１３７  超音波発生装置
１３８  緊急通信内容記憶部
３０４  発電機・充電器部
３０７  内蔵電池
３２３  高輝度発光ダイオード
３２４  スライドスイッチ
３３１  高輝度発光ダイオード点灯制御回路
３３２  電源電圧表示制御回路
【図１】
2007013413.tif 000003
【図２】
2007013413.tif 000004
【図３】
2007013413.tif 000005
【図４】
2007013413.tif 000006
【図５】
2007013413.tif 000007
【図６】
2007013413.tif 000008
【図７】
2007013413.tif 000009
【図８】
2007013413.tif 000010
【図９】
2007013413.tif 000011
【図１０】
2007013413.tif 000012